【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
第１表示結果と、当該第１表示結果とは有利度が異なる第２表示結果とを含む複数種類の表示結果から、導出を許容する表示結果を決定する事前決定手段と、
表示結果を導出させるために操作される導出操作手段と、
前記事前決定手段の決定結果および前記導出操作手段の操作に応じて表示結果を導出させる制御を行う導出制御手段とを備え、
前記導出制御手段は、
前記事前決定手段の決定結果が第１決定結果である場合、前記導出操作手段が第１操作手順で操作されたときに第１表示結果を導出させ、前記導出操作手段が第２操作手順で操作されたときに特定表示結果を導出させ、
前記事前決定手段の決定結果が第２決定結果である場合、前記導出操作手段が前記第１操作手順で操作されたときに前記第２表示結果を導出させ、前記導出操作手段が前記第２操作手順で操作されたときに前記特定表示結果を導出させる、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】０００４
【補正方法】変更
【補正の内容】
【０００４】
また、この種のスロットマシンとしては、第１表示結果の導出が許容された旨および、当該第１表示結果とは異なる第２表示結果の導出が許容された旨が決定されたときにおいて、所定操作手順で停止ボタンが操作されると第１表示結果を導出させ、当該所定操作手順以外の操作手順で停止ボタンが操作されると第２表示結果を導出させ得るものがあった（たとえば、特許文献１参照）。
【手続補正４】
【補正対象書類名】明細書
【補正対象項目名】０００６
【補正方法】変更
【補正の内容】
【０００６】
しかしながら、特許文献１に記載のスロットマシンは、第１表示結果の導出が許容された旨および第２表示結果の導出が許容された旨が決定されたときにおいて、操作手順に応じて、有利度が同一の第１表示結果を導出させるか否かに注目を集めたものに過ぎず、遊技の興趣を向上させることができなかった。また、仮に、特許文献１記載の発明に対して、遊技者にとっての有利度がそれぞれ異なる複数種類の第１表示結果を備える構成を適用できたとしても、第１表示結果を導出させることができなかった場合には、当該第１表示結果を導出させることができずに導出される第２表示結果の種類やその他の表示結果などから、当該導出させることができなかった第１表示結果の種類を遊技者により判別されてしまう可能性があり、この場合において、特に当該導出させることができなかった第１表示結果が有利度の高いものであるときには、遊技者に残念感を与えてしまい、遊技の興趣を低下させるという虞があった。
【手続補正５】
【補正対象書類名】明細書
【補正対象項目名】０００７
【補正方法】変更
【補正の内容】
【０００７】
この発明は、かかる実情に鑑み考え出されたものであり、その目的は、遊技者にとっての有利度がそれぞれ異なる複数種類の表示結果を備えた構成であっても、当該表示結果とは異なる表示結果が導出されたときに残念感を与えることなく遊技の興趣が低下してしまうことを防止できるスロットマシンを提供することである。
【手続補正６】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
第１表示結果と、当該第１表示結果とは有利度が異なる第２表示結果とを含む複数種類の表示結果から、導出を許容する表示結果を決定する事前決定手段と、
表示結果を導出させるために操作される導出操作手段と、
前記事前決定手段の決定結果および前記導出操作手段の操作に応じて表示結果を導出させる制御を行う導出制御手段とを備え、
前記導出制御手段は、
前記事前決定手段の決定結果が第１決定結果である場合、前記導出操作手段が第１操作手順で操作されたときに第１表示結果を導出させ、前記導出操作手段が第２操作手順で操作されたときに特定表示結果を導出させ、
前記事前決定手段の決定結果が第２決定結果である場合、前記導出操作手段が前記第１操作手順で操作されたときに前記第２表示結果を導出させ、前記導出操作手段が前記第２操作手順で操作されたときに前記特定表示結果を導出させる。
なお、以下の構成を備えるものでもよい。
各々が識別可能な複数種類の識別情報（図柄）を変動表示可能な複数の可変表示領域のそれぞれに表示結果を導出させることが可能な可変表示装置（リール２Ｌ、２Ｃ、２Ｒ）を備え、
遊技用価値（メダル、クレジット）を用いて１ゲームに対して所定数の賭数（３枚）を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシン（スロットマシン１）であって、
前記可変表示領域に表示結果が導出される前に、第１表示結果（中段ベルの表示結果）と、当該第１表示結果が導出されたときと遊技者にとっての有利度が異なる第２表示結果（右下がりベルの表示結果）とを含む複数種類の表示結果各々の導出を許容するか否かを決定する事前決定手段と（中段ベルが入賞したときのメダル払出枚数は８枚であるのに対し、右下がりベルが入賞したときのメダル払出枚数は３枚である）、
前記可変表示領域に表示結果を導出させる際に操作される導出操作手段（ストップスイッチ８Ｌ〜８Ｃ）と、
前記事前決定手段の決定結果および前記導出操作手段にされた操作に応じて前記複数の可変表示領域各々に表示結果を導出させる制御を行う導出制御手段（リール制御）とを備え、
前記導出制御手段は、
未だ表示結果が導出されていない未導出可変表示領域が２以上あり当該未導出可変表示領域に所定の可変表示領域（中リール２Ｃ）が含まれる特定状況（２以上のリールが回転している状況）であって、前記事前決定手段の決定結果が前記第１表示結果の導出を許容する旨を決定する第１特定決定結果（中ベル１当選）であるときに、未導出可変表示領域のうち前記所定の可変表示領域に対応する導出操作手段が他の未導出可変表示領域に対応する導出操作手段よりも先に操作される所定操作手順（中第１停止）で操作されたときに前記第１表示結果を導出させる一方、当該所定操作手順以外の特定操作手順で操作されたときに前記第１表示結果とも前記第２表示結果とも異なる表示結果のうち特定表示結果（副役出目または取りこぼし出目）を導出させ、
前記特定状況であって、前記事前決定手段の決定結果が前記第２表示結果の導出を許容する旨を決定する第２特定決定結果（中ベル５当選）であるときに、前記所定操作手順で操作されたときに前記第２表示結果を導出させる一方、前記特定操作手順で操作されたときには前記特定表示結果（副役出目または取りこぼし出目）を導出させる。